(57)【要約】【課題】電装品を収納するスペース以外の区画されたスペースを他目的の収納スペースとして有効利用することができる電動昇降吊戸棚を提供することを目的とする。【解決手段】建物上部に電動式昇降機構によって昇降するキャビネット２を設け、このキャビネットの下方部位に電動式昇降機構を操作するための昇降操作部１１を配置し、キャビネットの収納棚下部のスペースを複数のスペースに区画し、その少なくとも一つのスペースには電装品を収納する構成とした。【選択図】  図１
2010213922.tif 000002
【特許請求の範囲】
【請求項１】
建物上部に電動式昇降機構によって昇降するキャビネットを設け、このキャビネットの下方部位に前記電動式昇降機構を操作するための昇降操作部を配置した電動昇降吊戸棚において、前記キャビネットの収納棚下部のスペースを複数のスペースに区画し、その少なくとも一つのスペースには電装品を収納する構成としたことを特徴とする電動昇降吊戸棚。
【請求項２】
前記電装品を前記収納棚の下方を照明する棚下照明手段とする請求項１記載の電動昇降吊戸棚。
【請求項３】
前記棚下照明手段は区画された他のスペースも照射する構成とする請求項１または２記載の電動昇降吊戸棚。
【請求項４】
前記他のスペースは、キッチン小物を収納可能なものとする。請求項１ないし３のいずれか１項記載の電動昇降吊戸棚。
【請求項５】
前記他のスペースは、水受トレイを収納可能なものとする請求項１ないし４のいずれか１項記載の電動昇降吊戸棚。
【請求項６】
前記他のスペースは、前記電装品スペースと同一に設定する請求項１ないし５のいずれか１項記載の電動昇降吊戸棚。
【請求項７】
前記収納棚の動作は、前記収納スペースが露出した位置で停止するものとする請求項１ないし６のいずれか１項記載の電動昇降吊戸棚。
【発明の詳細な説明】
【技術分野】
【０００１】
本発明は食器乾燥器等として適用される電動昇降吊戸棚に係り、特に昇降用キャビネットを構成する内箱の下部スペースを小物載置用として有効利用する技術に関する。
【背景技術】
【０００２】
一般に電動昇降吊戸棚のキャビネットは建物上部に固定される外箱と、この外箱に形成される収納空間内に昇降自在に収納されて食器類が載置される内箱と、外箱に内装され内箱を昇降させる電動昇降機構と、電動昇降機構の動作を制御して内箱を昇降させる操作スイッチ等により構成されている。
【０００３】
そして従来では、電動昇降機構を用いて食器類が収納される内箱を昇降自在とし、この内箱を上昇させて外箱内に収納させ、内箱を下降させて外箱の下方に露出させる電動昇降吊戸棚が構成されている。
【０００４】
操作スイッチは内箱の下端部に設けられており、昇降用スイッチ等を含み、スイッチ回路等の電気的配線を設置する必要がある。また、電動昇降吊戸棚を操作する場合には手元を照明するために照明器具を設置する必要等もある。
【０００５】
このため、内箱の下端位置の直上位置には通常、その上側スペースから隔離するための一定の上下間隔が狭いスペースからなる下部空間が形成されている。
【０００６】
なお、従来では上述のスペース内に配置される照明器具として、一定の広範囲を照射し得るように、直管蛍光灯などの直管形灯具が横長配置で設置されている（例えば特許文献１等参照）。
【先行技術文献】
【特許文献】
【０００７】
【特許文献１】特開２００５−１６６２１号公報
【発明の概要】
【発明が解決しようとする課題】
【０００８】
上述の内箱最下端側のスペースは一般に、その上方の食器収納量確保等のため上下に狭く形成される一方、横方向においては内箱全体に亘って広いスペースを形成することができる。但し上述のように、上下方向スペースとしては狭隘であるため、小物程度しか収容することができず、通常は無駄なスペースになり易く、このスペースは有効に活用され難い。
【０００９】
一方、このスペースを有効活用するために上下方向に拡大することにも問題がある。すなわち、内箱の前面側には、この内箱の昇降に伴って開閉する扉が上端側を支点として開動可能に設けられている。そして、この扉は内箱が下降する際に上端側の支点を中心として次第に開き、逆に内箱の上昇時には狭くなっていく。そして、上昇時には最終的に閉じる。
【００１０】
このため、仮に内箱の下端側のスペースを上下方向に拡大した場合には、内箱の上昇に連れて次第に隙間が小さくなり、縮小するスペースに物品等が挟まる可能性がある。したがって、内箱の下端側のスペースを上下方向に拡大することにも課題がある。
【００１１】
本願発明はこのような事情に鑑みてなされたものであり、内箱下端側のスペースを特に上下方向に拡大することなく、有効活用することができる電動昇降吊戸棚を提供することを目的とする。
【課題を解決するための手段】
【００１２】
前記の目的を達成するため、本発明では、建物上部に電動式昇降機構によって昇降するキャビネットを設け、このキャビネットの下方部位に前記電動式昇降機構を操作するための昇降操作部を配置した電動昇降吊戸棚において、前記キャビネットの収納棚下部のスペースを複数のスペースに区画し、その少なくとも一つのスペースには電装品を収納する構成としたことを特徴とする電動昇降吊戸棚を提供する。  
なお、本発明において好ましくは、前記電装品を棚下照明手段とする。  
また、前記棚下照明手段は区画された他のスペースも照射する構成とする。  
また、前記他のスペースは、キッチン小物を収納可能なものとする。  
また、前記他のスペースは、水受トレイを収納可能なものとする。  
また、前記他のスペースは、前記電装品を収納するスペースと同一スペースに設定する。  
また、前記収納棚の動作は、前記収納スペースが露出した位置で停止するものとする。
【発明の効果】
【００１３】
本発明によれば、キャビネットの収納棚下部のスペースを複数のスペースに区画し、その一つには電装品を収納する構成としたことにより、電装品を収納するスペース以外の区画されたスペースを他目的の収納スペースとして有効利用することができる。
【図面の簡単な説明】
【００１４】
【図１】本発明の第１実施形態による電動昇降吊戸棚を示す全体斜視図。
【図２】図１に示した電動昇降吊戸棚を一部断面として示す構成図。
【図３】図１に示した電動昇降吊戸棚を図２と直交する方向に沿う断面として示す構成図。
【図４】本発明の第２実施形態による電動昇降吊戸棚を示す部分斜視図。
【発明を実施するための形態】
【００１５】
以下、本発明に係る電動昇降吊戸棚の実施形態について図面を参照して説明する。
【００１６】
［第１実施形態］
まず、図１を参照して、本発明の第１実施形態による電動昇降吊戸棚を説明する。
【００１７】
この実施形態では一例として、システムキッチンにおける天井設置式の昇降式食器乾燥機として適用する場合について説明する。ただし、その他の電動昇降吊戸棚、例えば乾燥庫、水切り棚等、種々の吊戸棚に適用することができる。
【００１８】
まず、図１により、昇降式食器乾燥機の全体構成について説明する。
【００１９】
この昇降式食器乾燥機は、天井またはその付近に設置されるキャビネットとして、外箱１と、この外箱１に昇降可能に設けられた内箱２とを有し、外箱１の前面には扉３が設けられている。
【００２０】
外箱１は天板１ａ、両側板１ｂ，１ｂおよび背板１ｃを備え、前面および下面が開放する構成となっており、この外箱１が天井等に固定される。
【００２１】
内箱２は食器乾燥機本体を構成するもので、上板２ａ、下板２ｂ、両側板２ｃおよび背板２ｄにより前面が開口する形状とされている。この内箱２の両側板２ｃの外面間の寸法が、外箱１の両側板１ｂ，１ｂの内面間の寸法よりも僅かに小さく設定され、これら各側板１ｃ，１ｃ間にそれぞれ縦長な幅狭い側方空間８が形成されている。なお、内箱２の高さは外箱１より十分小さく、内箱２上方に機器スペースが形成されるようになっている。
【００２２】
内箱２内には複数段、例えば上下２段の棚４（上棚４ａ，下棚４ｂ）が設置されている。さらに、内箱２の下板２ｂと下棚４ｂとの間には、上下高さが小さい下部空間５（５ａ，５ｂ，５ｃ）が形成されている。この下部空間５は幅方向に沿って複数空間、例えば仕切板６，７により区画されており、左右の空間５ａ，５ｃは前面が開口し、中央の空間５ｂは前板９によって塞がれている。また、内箱２の下板２ｂには、この内箱２の昇降操作および電源操作等を行うための操作スイッチ１０が設けられている。
【００２３】
なお、操作スイッチ１０は、電源操作用の電源スイッチ（釦スイッチ）５６、内箱２の上昇動作を次の１回の操作により全ストロークの上昇を自動的に行うためのオートスイッチ（釦スイッチ５７）、内箱２の昇降動作を摘み操作により上昇・下降に切換え操作するための昇降レバー５８（上向き開動操作により上昇、下向き開動操作により下降）、およびオン・オフ切換え操作用の電源スイッチ５８、ならびに照明ランプ５９を備えている。
【００２４】
次に、図２および図３を参照して、電動昇降吊戸棚の構成および操作スイッチ１０について説明する。
【００２５】
図２は、電動昇降吊戸棚を縦断面として前方から見た縦断面図であり、図３は右側方から見た縦断面図である。
【００２６】
図２および図３に示すように、内箱２は外箱１に昇降機構１１により昇降可能に支持されている。この昇降機構１１は例えばベルト式昇降機構であり、外箱１のフレーム１２に取付けたモータ１３と、このモータ１３にギア等の動力伝達機構１５を介して連結された巻取りドラム１６と、このドラム１６に巻装されるベルト１７と、ベルト１７を下方に案内するベルトローラ１８，１８と、内箱２の天板２ａにブラケット１９を介して支持された内箱吊上げ用の吊上げローラ２０と、ベルト１７の端部をフレーム１２部位で止着する止着具２１とを有する。
【００２７】
外箱１の両側板１ｂ，１ｂの内面には、内箱２を昇降ガイドするための縦長なガイドレール２２がそれぞれ設けられている。外箱１には扉３がその上端縁部の例えば３個所に設けたヒンジ１４を介して連結され、これにより扉３は上端縁部を支点として下端側を前後方向に回動し得る構成となっている。
【００２８】
この昇降機構１１のベルト１７は例えば２本構成であり、その各ベルト１７により内箱２の左右２箇所が吊上げられる方式となっている。各ベルト１７は、一つの巻取りドラム１６に同時に巻上げられ、それにより内箱２が常時一定姿勢で昇降することができる。
【００２９】
また、図１、図２および図３に示すように、内箱２の下板２ｂと下棚４ｂとの間のスペース（下部空間５ｂ）には、照明用の電装品である灯具２３が設けられている。この灯具２３は内箱４内の後部における左右中央位置に配置してあり、支持板２４により支持されて下部空間５ｂの横方向および前方を照射するようになっている。
【００３０】
すなわち、この第１実施形態では、キャビネットの収納棚下部のスペースを複数のスペースに区画し、その少なくとも一つのスペースに電装品として、棚下照明手段である灯具２３を収納する構成としてある。
【００３１】
以上の実施形態によれば、キャビネットの収納棚下部のスペースを複数のスペースに区画し、その一つには電装品を収納する構成としたことにより、電装品を収納するスペース以外の区画されたスペースを他目的の収納スペースとして有効利用することができる。なお、本実施形態では、一つのスペースに電装品を収納したが、２以上のスペースに電装品を配置してもかまわない。
【００３２】
［第２実施形態］
本発明の第２実施形態では、図１〜図３を参照して、棚下照明手段が、区画された他のスペースも照射する構成について説明する。
【００３３】
図１〜図３に示すように、本実施形態では棚下照明手段としての灯具２３が、内箱２の下棚４ｂと下板２ｂとの間に左右方向に沿って区分された下部空間５ａ，５ｂ，５ｃのうち、左右方向中央に区画された下部空間５ｂ内に収容されている。
【００３４】
そして、この下部空間５ａ，５ｂ，５ｃを形成する仕切板６，７は、図３に示すように灯具２３の前方の範囲のみを区画する構成となっている。
【００３５】
したがって、一つの区画内に設置された電装品としての灯具２３から発生した光は、各仕切板６，７の前方に分散して区画された他のスペースも照射する構成となっている。
【００３６】
これにより、本実施形態によれば、棚下照明手段である灯具２３が、区画された他のスペースも照射することができる。
【００３７】
［第３実施形態］
本発明の第３実施形態では、図１〜図４を参照して、他のスペースがキッチン小物を収納可能とする構成について説明する。
【００３８】
これらの図に示すように、本実施形態では内箱２の下端位置に、前方に向って開口する下部空間５ａ，５ｂ，５ｃ，‥が形成されている。
【００３９】
そして、図４に示すように、これらの下部空間５‥は互いに隣接して前方に向って開口する構成となっているので、隣接する各スペース同士がそれぞれ他のスペースとなり、それぞれのスペースにキッチン小物を収納することが可能となる。
【００４０】
［第４実施形態］
本発明の第４実施形態では、図１〜図４を参照して、他のスペースが水受トレイを収納可能である構成について説明する。
【００４１】
図２に示すように、本実施形態では内箱２の下端位置に、前方に向って開口する下部空間５ａ，５ｂ，５ｃ‥が形成されている。
【００４２】
そして、図４に示すように、下部空間５‥は互いに隣接して前方に向って開口する構成となっているので、水受トレイを収納する場合において、隣接する各スペース同士のそれぞれについて、他のスペースが水受トレイを収納可能である構成となる。
【符号の説明】
【００４３】
１‥外箱
１ａ‥天板
１ｂ，１ｂ‥両側板
１ｃ‥背板
２‥内箱
２ａ‥上板
２ｂ‥下板
３‥扉
４‥棚
４ａ‥上棚
４ｂ‥下棚
５（５ａ，５ｂ，５ｃ）‥下部空間
６，７‥仕切板
９‥前板
１０‥操作スイッチ
１１‥昇降機構
１２‥フレーム
１３‥モータ
１４‥ヒンジ
１５‥動力伝達機構
１６‥巻取りドラム
１７‥ベルト
１８，１８‥ベルトローラ
１９‥ブラケット
２０‥吊上げローラ
２１‥止着具
２２‥ガイドレール
２３‥電装品（灯具）
２４‥支持板
５６‥電源スイッチ
５７‥オートスイッチ
５８‥昇降レバー
５９‥照明ランプ
【図１】
2010213922.tif 000003
【図２】
2010213922.tif 000004
【図３】
2010213922.tif 000005
【図４】
2010213922.tif 000006